(57)【要約】      （修正有）【課題】食品を受容するのに適し、生分解性であり得るカップを提供する。【解決手段】生分解性カップは、ＩＸＰＥ発泡カップおよび発泡カップ２０内にしっかりと受容される紙カップ１０を備える。リップ２１は発泡カップの上端部の外側に連結しているので、隣接したリップが互いにオーバラップした状態で生分解性カップを積み重ねることができる。発泡パッド２２を、発泡カップの下面に連結して、より良好な断熱機構を実現するようにしている。生分解性膜１１は、酸（ＰＬＡ）、ポリエチレン・テレフタレート（ＰＥＴ）、またはポリプロピレン（ＰＰ）であり得る。【選択図】図２
0003146847.tif 000002
【実用新案登録請求の範囲】
【請求項１】
生分解性膜１１をその内側にコーティングした紙カップ１０と、
該紙カップをしっかりと受容した発泡カップ２０と、その上端部の外側に連結しているリップ２１と、を含む生分解性カップ。
【請求項２】
該発泡カップの下面に連結している発泡パッド２２をさらに含む、請求項１に記載のカップ。
【請求項３】
該発泡パッドの直径が、該発泡カップの外径と同じである、請求項２に記載のカップ。
【請求項４】
該発泡カップが、ＩＸＰＥ発泡カップである、請求項１に記載のカップ。
【請求項５】
該リップが、該発泡カップと一体に形成されている、請求項１に記載のカップ。
【請求項６】
該リップが、該発泡カップに接着している、請求項１に記載のカップ。
【請求項７】
該リップが、該発泡カップに熱圧着している、請求項１に記載のカップ。
【請求項８】
該生分解性膜が、ポリ乳酸（ＰＬＡ）、任意の生体高分子、任意の公知の生分解性プラスチック材料、国際標準化機構（ＩＳＯ）の規定に適合し堆肥化に適した任意の公知の熱可塑性材料で製造される、請求項１に記載のカップ。
【請求項９】
該発泡カップが、ポリ乳酸（ＰＬＡ）、任意の生体高分子、任意の公知の生分解性プラスチック材料、国際標準化機構（ＩＳＯ）の規定に適合し堆肥化に適した任意の公知の熱可塑性材料で製造される、請求項１に記載のカップ。
【請求項１０】
該発泡カップが、印刷模様または文字を含む、請求項１に記載のカップ。
【請求項１１】
該発泡カップの下方縁部が該紙カップの底部と面一であり、該発泡カップの該上端部が、該紙カップ上の外側で湾曲したリップの下に位置する、請求項１に記載のカップ。
【請求項１２】
該発泡カップの該上端部が、該紙カップの底部から１／２〜１／３の高さに位置している、請求項１に記載のカップ。
【請求項１３】
生分解性膜をその内側にコーティングした紙カップと、
該紙カップをその中にしっかりと受容する発泡カップと、その上端部の外側に連結しているリップと、
該発泡カップの下面に連結している発泡パッドと、
を含む生分解性カップ。
【請求項１４】
該発泡パッドの直径が該発泡カップの外径と同じである、請求項１３に記載のカップ。
【考案の詳細な説明】
【技術分野】
【０００１】
本考案は、生分解性カップに関するもので、発泡カップを紙カップの外側に取り付けた紙カップを含む。
【背景技術】
【０００２】
従来の生分解性カップは概して底部を含み、底部はカップを開放最上部で囲むようにしてその底部から延在する外周壁を備えている。防水層が底部の上面および外周壁の内側にコーティングされている。発泡体層は外周壁の外側に取り付けられている。防水層および発泡体層は類似の材料で製造され、熱融合により互いに連結している。防水層は、ポリエチレンおよびポリプロピレンからなり、発泡体層はポリエチレン、ポリプロピレンおよびポリ乳酸からなる。発泡体層には、その外側に形成される凸状模様が含まれる。溶融プラスチック材料を調整し、次いで溶融プラスチック材料を射出して発泡体層を形成する方法により、発泡体層を製造する。
【０００３】
発泡体層と外周壁を連結する方法にはおそらく２つある。その内の1つの方法は、発泡体層が外周壁に簡単に取り付けられて、発泡体層が外周壁に十分には固着されない。他の方法は、防水層が発泡体層と外周壁を連結するための接着剤層である。しかしながら、防水層は外周壁上に均一に塗れない恐れがあり、発泡体層は外周壁から分離され得る。
【０００４】
本考案は、ＩＸＰＥで製造される発泡カップの内側に連結しているおり、発泡カップの内側にしっかりと結合している紙カップを含む生分解性カップを提供することを目的としている。
【考案の開示】
【考案が解決しようとする課題】
【０００５】
本考案の主たる目的は、食品を受容するのに適し、生分解性であり得るカップを提供することにある。
【０００６】
本考案の別の目的は、発泡カップ内にしっかりと受容される紙カップを含み、隣接したリップが互いに重なった状態でカップを積み重ねることができるように、リップが発泡カップの上端部の外側に形成されている、カップを提供することである。
【０００７】
本考案のさらに別の実施形態は、生分解性カップ内の食物の温度を維持するために一層の隔離機能を発揮する発泡パッドをさらに備える、生分解性カップを提供することであ
【課題を解決するための手段】
【０００８】
本考案は、生分解性フィルムをその内側をコーティングした紙カップと、紙カップをしっかりと受容するＩＸＰＥ発泡カップを含む生分解性カップに関する。
【０００９】
本考案は、例示の目的でのみ、本考案による好ましい実施形態を示す添付図面に関連して理解すれば以下の説明からもっと明らかになるであろう。
【考案を実施するための最良の形態】
【００１０】
図１〜３を参照すると、本考案の生分解性カップは紙カップ１０とＩＸＰＥで製造される発泡体カップを含む。
【００１１】
紙カップ１０は、底部および開放最上部を含み、生分解性膜１１が紙カップ１０の内面上にコーティングされている。生分解性膜１１は、ポリ乳酸（ＰＬＡ）、任意の生体高分子、任意の公知の生分解性プラスチック材料、国際標準化機構（ＩＳＯ）の規定に適合し堆肥化に適した任意の公知の熱可塑性材料、で製造される。
【００１２】
発泡ボード２００は、ＩＸＰＥ、ポリ乳酸（ＰＬＡ）、ＩＸＰＥポリエチレン・テレフタレート（ＰＥＴ）、ＩＸＰＥポリプロピレン（ＰＰ）により製造される発泡ボードにより作られる。次いで、この発泡ボードは模様または文字で印刷し、切断、プレスして扇形の断片にしたうえで熱圧着して開放最上部および開放底部を有する実質的な円筒体、およびその上端部の外側にリップ２１を形成する。
【００１３】
発泡カップ２０は、次いで図３に示すように熱圧着により紙カップ１０へしっかりと取り付けられる。発泡カップ２０の上端部は、紙カップ１０上の外側にありかつ湾曲したリップの下に位置する。複数の生分解性カップが積み重なると、発泡カップ２０の隣接したリップ２１は互いにオーバラップするので、生分解性カップは互いから容易に分離できる。
【００１４】
発泡パッド２２は発泡カップ２０の下面に連結し、発泡パッド２２の直径は発泡カップ２０の外径と同じである。発泡パッド２２および発泡カップ２０は、同一材料及び方法によって製造される。発泡パッド２２と発泡カップ２０との間の連結部は、生体高分子により、または熱圧着により製造される接合用接着剤（glue）であり得る。
【００１５】
発泡ボードは、生分解性材料または非生分解性材料により製造できる。生分解性材料は、ポリ乳酸（ＰＬＡ）、ＰＨＡ、バイオディグレーダブル（Bio-Degradable）材料、バイオポリマー類、グリーンプラスチック類、バイオマックス（Biomax）ＰＥＴ、フェポール（Fepol）、エコフレックス（Ecoflex）、デュポン・カンパニー社（DuPond Company）によるMater-beであり得る。非生分解性材料は、ポリエチレン・テレフタレート（ＰＥＴ）、ポリプロピレン（ＰＰ）、ポリエチレン（ＰＥ）であり得る。
【００１６】
上記の熱圧着は、超音波圧着（ultra-heating）、高温空気加熱、超音波圧着または電気熱圧着（electric heat pressing）であり得る。リップ２１は発泡カップ２０と一体製造でき、またはリップ２１は単独で製造し、次いで発泡カップ２０へ接着もしくは熱圧着することができる。
【００１７】
生分解性カップの別の実施形態は、発泡カップ２０の最上縁部は紙カップ１０の底部から約１／２〜１／３の高さに位置している。発泡カップ２０の下縁部は紙カップの底部と面一となっている。
【００１８】
考案者は、本考案による実施形態を示し説明してきたが、本考案の範囲から逸脱せずにさらなる実施形態を作り得ることは当業者であれば明白なはずである。
【図面の簡単な説明】
【００１９】
【図１】本考案の生分解性カップを示す分解図である。
【図２】本考案の生分解性カップを示す断面図である。
【図３】本考案の積み重ねられたカップを示す断面図である。
【符号の説明】
【００２０】
１０：紙カップ
１１：生分解性膜
２０：発泡カップ
２００：発泡ボード
２１：リップ
２２：発泡パッド
【図１】
0003146847.tif 000003
【図２】
0003146847.tif 000004
【図３】
0003146847.tif 000005